(57)【要約】【課題】ウエストガーニッシュのトリム本体への取付けが確実に位置決めされるようにするとともに、トリム本体やウエストガーニッシュのデザイン上の制約を少なくした。【解決手段】ウエストガーニッシュ６０が、トリム本体１０のウエスト部２２に重合させた状態で取付けられるウエスト部取付け部位６１とウエスト部取付け部位６１に対して下方向に湾曲するように形成したウエスト部延長部位６２とで構成し、ウエスト部延長部位６２とウエスト部取付け部位６１との連結部が、ウエスト部取付け部位６１が下方に落ち込むような段差部６３に形成されて、段差部６３にウエスト部２２の端面部２２ａを当接させた状態で、ウエスト取付け部位６１がウエスト部２２に重合して取付けられるように構成した。【選択図】図２
2008184001.tif 000002
【特許請求の範囲】
【請求項１】
トリム本体のウエスト部に別体のウエストガーニッシュを取付けて構成するようにした車両用ドアトリム構造であって、前記ウエストガーニッシュが、前記ウエスト部に重合させた状態で取付けられるウエスト部取付け部位と該ウエスト部取付け部位に対して湾曲しながら下方向に折曲形成されたウエスト部延長部位とを有して構成されており、前記ウエスト部延長部位と前記ウエスト部取付け部位との連結部が、該ウエスト部取付け部位が下方に落ち込むような段差部に形成されて、該段差部に前記ウエスト部の端面部を当接させた状態で、前記ウエスト取付け部位が前記ウエスト部に重合して取付けられるように構成したことを特徴とする車両用ドアトリム構造。
【発明の詳細な説明】
【技術分野】
【０００１】
本発明は、トリム本体のウエスト部に別体のウエストガーニッシュを取付けることによって当該ウエスト部を延長形成するようにした車両用ドアトリム構造に関するものである。
【背景技術】
【０００２】
従来における車両用ドアトリム構造は、特許文献１および特許文献２に記載されたものが知られている。
【特許文献１】特開２００３−８１０２１号公報。
【特許文献２】特開１０−２２６２３５号公報。
【０００３】
特許文献１に記載された車両用ドアトリム構造によれば、トリム本体を上から順にトリムアッパー、トリムセンターおよびトリムロアの３分割構成とし、図示しないがそれぞれ筒状の取付けボスにねじを螺合する等することにより順次接合固定した一体構成としている。
【０００４】
そして、トリムアッパーは、その上端部を下向きに湾曲するように折曲形成して、ウエスト部を一体に形成しており、ウエスト部に形成された先端垂下部を利用して、ドアガラスとの間に雨水等の車室内への浸入を防止するためのインナーシールが装着されている。
【０００５】
このために、トリムアッパーの形状は、その上端部に連続するように形成された湾曲形状の存在により、アンダーカット形状となってしまい、成形に当って、直上げブロック等特別の成形型を用いる必要があるばかりでなく、この成形型の型抜き距離を確保するために、デザイン的にある程度限定されてしまうことになる。
【０００６】
そこで、特許文献２に記載された車両用ドアトリム構造によれば、図３に示すように、トリムアッパーａにおけるウエスト部ｂは、上下方向に外方に凸となるように湾曲しており、その端面部ｃが上下方向に延在する直状面となるように形成されており、別体構成のウエストガーニッシュｄが装着されて構成している。
【０００７】
そして、ウエストガーニッシュｄは、ウエスト部ｂの下面に沿って重合取付けされるウエスト部取付け部位ｅとこれに連続した後下方に垂設されたウエスト部延長部位ｆを有して構成しており、ウエスト部延長部位ｆを利用して、インナーシールｇを装着するようにしていた。
【発明の開示】
【発明が解決しようとする課題】
【０００８】
したがって、図３に示す従来における車両用ドアトリム構造においては、トリムアッパーａ側のウエスト部とウエストガーニッシュｄのウエスト部延長部位とが連続して、トリムアッパーａにおけるデザイン上の要求を満たすことができると共に、ウエスト部延長部位ｆを別体構成にしているために、トリムアッパーａがアンダーカット形状とならないことになって、直上げブロック等の特別の成形型を用いずに成形することができることになる。
【０００９】
しかし、ウエスト部ｂにウエストガーニッシュｄを装着するに際して、ウエスト部延長部位ｆを利用してインナーシールｇを取付ける様な場合、インナーシールｇがウエスト部延長部位ｆに対して傾かないように確実に密着させるためには、ウエスト部ｂの端面部ｃとウエスト部延長部位ｆの外側面とが上下方向において略面一に連続するようにする必要がある。
【００１０】
しかし、トリムアッパーａのウエスト部ｂへのウエストガーニッシュｄの装着が、成形誤差等により、ウエスト部ｂの端面部ｃとウエストガーニッシュｄのウエスト部延長部位ｆの外側面とを略面一にならずに段差を有した状態でなされるおそれがある。
【００１１】
このような場合には、インナーシールｇの取付けが、ウエスト部ｂの端面部ｃとウエストガーニッシュｄのウエスト部延長部位ｆの外側面との段差分、ウエスト部延長部位ｆに対して傾いて装着されてしまうことになり、インナーシールｇのシール性能に影響を及ぼすことにもなりかねない。
【００１２】
しかも、ウエスト部ｂの端面部ｃとウエストガーニッシュｄのウエスト部延長部位ｆの外側面とを略面一に連続させるように、トリムアッパーａ或いはウエストガーニッシュｄの形状を設定しなければならないことから、当該部位におけるデザイン選択範囲が制約されてしまうことにもなる。
【００１３】
そこで、本発明は、ウエストガーニッシュのトリム本体への取付けが確実に位置決めされるようにするとともに、トリム本体やウエストガーニッシュのデザイン上の制約を少なくした車両用ドアトリム構造を提供することを目的としている。
【課題を解決するための手段】
【００１４】
本発明に係る車両用ドアトリム構造は、トリム本体のウエスト部に別体のウエストガーニッシュを取付けて構成するようにした車両用ドアトリム構造であって、前記ウエストガーニッシュが、前記ウエスト部に重合させた状態で取付けられるウエスト部取付け部位と該ウエスト部取付け部位に対して湾曲しながら下方向に折曲形成されたウエスト部延長部位とを有して構成されており、前記ウエスト部延長部位と前記ウエスト部取付け部位との連結部が、該ウエスト部取付け部位が下方に落ち込むような段差部に形成されて、該段差部に前記ウエスト部の端面部を当接させた状態で、前記ウエスト取付け部位が前記ウエスト部に重合して取付けられるように構成したことを特徴とする。
【発明の効果】
【００１５】
上記のように構成する本発明によれば、ウエストガーニッシュをトリム本体に取付ける際に、ウエストガーニッシュにおけるウエスト部取付け部位とウエスト延長部位との連結部が段差部として形成されているために、当該段差部にトリム本体におけるウエスト部の端面部を突き当てることによって、トリム本体に対してウエストガーニッシュが確実な位置決めの下に装着することができるとともに、段差部と端面部との突き当て位置が適宜選択可能であることから、トリム本体やウエストガーニッシュのデザイン上の制約を少なくすることができる。
【発明を実施するための最良の形態】
【００１６】
次に、本発明に係る実施の形態について、図１及び図２を用いて説明する。
【００１７】
図１は本発明に係る実施の形態を採用した車両用ドアトリムを車室側から描画した斜視図、図２は図１のＡ−Ａ断面図である。
【００１８】
図１において、トリム本体１０は、外観性能あるいは成形金型の簡素化等を図るために、上下３分割に構成されており、上側から下側に向けて、トリムアッパー２０、トリムセンター３０及びトリムロア４０を順次連接することによって一体構成となっていると共に、図２に示すように、トリムアッパー２０の車室側表面には表皮材７０が張設されており、また、トリムセンター３０の車室側表面にはやはり表皮材７１が張設されている。トリムロア４０にも、同様に表皮材を張設するようにしてもよい。
【００１９】
さらに、トリムアッパー２０とトリムセンター３０との連接部における凹部には、美装のためにオーナメント５０が装着されている。すなわち、オーナメント５０の裏面側には、筒状取付けボス５１が突設されており、筒状取付けボス５１をトリムセンター３０の上端部に設けた取付け孔３１及びトリムアッパー２０の下端部に設けた取付け孔２１に挿通させた後、筒状取付けボス５１にねじ２３を螺合することによって、トリムアッパー２０、オーナメント５０及びトリムセンター３０が共締めされて一体構成となっている。
【００２０】
また、図示はしないが、トリムセンター３０の下端及びトリムアッパー２０の上端は、例えば取付けボスにネジを螺合する等により共締めされて、トリムセンター３０とトリムロア４０とはやはり一体構成となっている。
【００２１】
トリムアッパー２０の上端部は、湾曲を呈して棚状に形成されて、ウエスト部２２となっており、ウエスト部２２の端面部２２ａは、上下方向に延在する直状面に形成されている。
【００２２】
ウエスト部２２には、ウエストガーニッシュ６０が装着されている。
【００２３】
ウエストガーニッシュ６０は、図示しないが例えば、取付けボスの超音波溶着による加締め等によりウエスト部２２に添接して重合するように装着されるウエスト部取付け部位６１とウエスト部２２を実質的に延長させるウエスト部延長部位６２とを有して構成している。
【００２４】
ウエスト部取付け部位６１とウエスト部延長部位６２との連結部は、ウエスト部取付け部位が一段下方に落ち込むような段差部６３に形成されている。
【００２５】
したがって、ウエスト部２２にウエスト部取付け部位６１を添設重合して装着する場合、ウエスト部２２の端面部２２ａを段差部６３に当接した状態で行うことになり、ウエスト部２２とウエスト部延長部位６２とは、互いの外側面において略面一に連続するように構成され、ウエスト部延長部位６２の表面は、表皮材７０が延在して張設されている。
【００２６】
また、ウエスト部延長部位６２は、下向きに延在する垂下部６２ａを有しており、垂下部６２ａに不図示のインナーシールを装着するようにしても良い。
【００２７】
なお、オーナメント５０には、インサイドハンドル５２が装着されており、また、トリムロア４０には、アームレスト部４１、ポケット部４２或いはスピーカーグリル４３が設けられている。
【００２８】
以上のように構成する場合、ウエストガーニッシュ６０をトリム本体１０のトリムアッパー２０に取付ける際に、ウエストガーニッシュ６０におけるウエスト部取付け部位６１とウエスト部延長部位６２との連結部が段差部６３として形成されているために、段差部６３にトリムアッパー２０におけるウエスト部２２の端面部２２ａを突き当てることによって、トリムアッパー２０に対してウエストガーニッシュ６０の位置決めがなされて装着することができとともに、段差部６３と端面部２３ａとの突き当て位置が適宜選択可能であることから、トリム本体１０におけるトリムアッパー２０やウエストガーニッシュ６０のデザイン上の制約を少なくすることができる。
【産業上の利用可能性】
【００２９】
以上説明したように、本発明は、ウエストガーニッシュをトリム本体に取付ける際に、ウエストガーニッシュにおけるウエスト部取付け部位とウエスト延長部位との連結部が段差部として形成されているために、当該段差部にトリム本体におけるウエスト部の端面部を突き当てることによって、トリム本体に対してウエストガーニッシュが確実な位置決めの下に装着することができるとともに、段差部と端面部との突き当て位置が適宜選択可能であることから、トリム本体やウエストガーニッシュのデザイン上の制約を少なくすることができるために、トリム本体のウエスト部に別体のウエストガーニッシュを取付けて、該ウエストガーニッシュにインナーシールを装着するように構成した車両用ドアトリム構造等に好適であるといえる。
【図面の簡単な説明】
【００３０】
【図１】本発明に係る実施の形態を採用した車両用ドアトリムを車室側から描画した斜視図である。
【図２】図１のＡ−Ａ断面図である。
【図３】従来における車両用ドアトリムのウエスト部付近を描画した縦断面図である。
【符号の説明】
【００３１】
１０    トリム本体
２０    トリムアッパー
２２    ウエスト部
２２ａ  端面部
３０    トリムセンター
６０    ウエストガーニッシュ
６１    ウエスト部取付け部位
６２    ウエスト部延長部位
６３    段差部
【図１】
2008184001.tif 000003
【図２】
2008184001.tif 000004
【図３】
2008184001.tif 000005